(57)【要約】【課題】既存の容器に対して変更を加えることなく、該容器の外面に生じる結露が凝集して粗大な水滴が形成されるのを防止することができる容器取り付け用部材を提供することを課題とする。【解決手段】シート材を用いて形成される本体シートを備え、該本体シートが物品を収容する容器の外面の少なくとも一部を覆うように容器に対して取り付け可能に構成された容器取り付け用部材であって、前記本体シートは、一方の面が撥水性を有する撥水層によって形成されると共に、容器の外面の少なくとも一部を覆った状態で、他方の面が容器の外面と対峙するように構成されることを特徴とする。【選択図】図２
2016120957.tif 000002
【特許請求の範囲】
【請求項１】
シート材を用いて形成される本体シートを備え、該本体シートが物品を収容する容器の外面の少なくとも一部を覆うように容器に対して取り付け可能に構成された容器取り付け用部材であって、
前記本体シートは、一方の面が撥水性を有する撥水層によって形成されると共に、容器の外面の少なくとも一部を覆った状態で、他方の面が容器の外面と対峙するように構成されることを特徴とする容器取り付け用部材。
【請求項２】
本体シートは、容器の外面の少なくとも一部覆った状態で、他方の面と容器の外面との間に容器の外面に発生する結露を保持する結露保持空間が形成されるように構成されることを特徴とする請求項１に記載の容器取り付け用部材。
【請求項３】
前記本体シートは、容器に取り付けられた状態で容器の外周面を覆う筒状となるように構成されており、筒状をなす本体シートの軸線方向の一端部に形成される開口部が容器と軸線方向において掛合するように構成されることを特徴とする請求項１又は２に記載の容器取り付け用部材。
【発明の詳細な説明】
【技術分野】
【０００１】
本発明は、容器の外面の少なくとも一部を覆うように該容器に取り付けられる容器取り付け用部材に関する。
【背景技術】
【０００２】
物品を収容する容器が配置される空間の気温（以下、外気温とも記す）よりも温度の低い物品（例えば、飲料水やアイスクリームなど）を容器に収容すると、容器の外面に結露が生じることがある。容器の外面に生じた結露は、隣接するもの同士が接触して凝集することによって粗大化する（大きな水滴となる）ため、容器の外面に粗大な水滴が形成される。
【０００３】
このような粗大な水滴が容器の外面に形成されると、容器を手で把持した際に滑り易くなったり、粗大な水滴が自重によって垂れて容器を載置した面（例えば、テーブルの上面）を濡らしてしまったり、容器の性状によっては（例えば、紙製の容器である場合には）容器の強度が早期に低下してしまったりする場合がある。
【０００４】
そこで、結露によって容器の外面に粗大な水滴が生じるのを防止する方法して、種々の提案がなされている。例えば、容器の底部から起立するように筒状に形成された周壁部を二重構造にする方法が提案されている。これにより、周壁部内に空気の層が形成されるため、容器の外面と外気温との温度差が小さくなり、容器の外面に結露が生じるのを防止することが可能となっている（特許文献１及び２参照）。または、容器の表面に毛細管現象が生じる程度の溝を複数形成する方法が提案されている。斯かる方法では、容器の外面に生じた結露が溝内に吸収されると共に毛細管現象によって溝の長さ方向に伸長されるため、隣接する結露同士が凝集して粗大化するのを防止することが可能となっている（特許文献３参照）。
【先行技術文献】
【特許文献】
【０００５】
【特許文献１】実用新案登録第３０１３３５７号公報
【特許文献２】特開２００３−０１９０６４号公報
【特許文献３】特開２００７−１１９３２８号公報
【発明の概要】
【発明が解決しようとする課題】
【０００６】
しかしながら、上記のような方法は、容器の構成自体を結露しない、又は、結露が粗大化し難い構造に変更するものであるため、既存の容器に対して適用することができない。
【０００７】
そこで、本発明は、既存の容器に対して変更を加えることなく、該容器の外面に生じる結露が凝集して粗大な水滴が形成されるのを防止することができる容器取り付け用部材を提供することを課題とする。
【課題を解決するための手段】
【０００８】
本発明に係る容器取り付け用部材は、シート材を用いて形成される本体シートを備え、該本体シートが物品を収容する容器の外面の少なくとも一部を覆うように容器に対して取り付け可能に構成された容器取り付け用部材であって、前記本体シートは、一方の面が撥水性を有する撥水層によって形成されると共に、容器の外面の少なくとも一部を覆った状態で、他方の面が容器の外面と対峙するように構成されることを特徴とする。
【０００９】
斯かる構成よれば、容器取り付け用部材を容器に対して取り付けた際に、容器の外面の少なくとも一部が本体シートによって覆われた状態になる。斯かる状態では、本体シートの他方の面が容器の外面と対峙するため、撥水層によって形成される一方の面（以下、撥水面とも記す）が容器の配置される空間（以下、外部空間とも記す）と接することになる。
【００１０】
そして、外部空間の温度（以下、外気温とも記す）よりも温度の低い物品が容器に収容されることで、撥水面の温度が外気温よりも低くなって撥水面に結露が生じることになる。しかしながら、撥水面の撥水力によって撥水面と結露との接触面積が小さくなるため、隣接する結露同士の間に間隔が生じることになる（換言すれば、結露が撥水面に分散した状態になる）。このため、隣接する結露同士が接触して凝集することによって粗大な水滴が形成されるのを防止することができる。つまり、本発明の容器取り付け用部材を既存の容器に取り付けることで、既存の容器であっても結露によって粗大な水滴が生じるのを防止することができる。
【００１１】
本体シートは、容器の外面の少なくとも一部覆った状態で、他方の面と容器の外面との間に容器の外面に発生する結露を保持する結露保持空間が形成されるように構成されることが好ましい。
【００１２】
斯かる構成よれば、結露保持空間が形成されることで、結露保持空間に保持された結露が本体シートの他方の面と容器の外面とに接触した状態となる。これにより、結露保持空間に保持された結露の表面張力によって本体シートの他方の面と容器の外面とが吸着するため、本体シートが容器の外面の少なくとも一部を覆った状態を良好に維持することができる。
【００１３】
前記本体シートは、容器に取り付けられた状態で容器の外周面を覆う筒状となるように構成されており、筒状をなす本体シートの軸線方向の一端部に形成される開口部が容器と軸線方向において掛合するように構成されることが好ましい。
【００１４】
斯かる構成よれば、本体シートは、容器に取り付けられた状態で容器の外周面を覆うように筒状となるように構成されることで、容器の外周面が軸線を中心とする周方向の全域に亘って本体シートによって覆われた状態となる。このため、容器に対する容器取り付け用部材の取り付け状態を安定させることができると共に、軸線を中心とする周方向の全域に亘って結露の粗大化を防止することができる。
【００１５】
また、筒状をなす本体シートの軸線方向の一端部に形成された開口部が容器と軸線方向において掛合するように構成されることで、筒状をなす本体シートの開口部と容器とが掛合するため、筒状をなす本体シートの内側から容器が意図せずに抜け落ちてしまうのが防止される。このため、容器に対する容器取り付け用部材の取り付け状態を安定させることができる。
【発明の効果】
【００１６】
以上のように、本発明によれば、既存の容器に対して変更を加えることなく、該容器の外面に生じる結露が凝集して粗大な水滴が形成されるのを防止することができる。
【図面の簡単な説明】
【００１７】
【図１】本実施形態に係る容器取り付け用部材とそれを取り付ける容器とを示した斜視図。
【図２】同実施形態に係る容器取り付け用部材が容器に取り付けられた状態を示す容器取り付け用部材の部分断面図。
【図３】同実施形態に係る容器取り付け用部材が容器に取り付けられた状態で容器に物品が収容されて結露が生じた状態を示す容器取り付け用部材の部分断面図。
【図４】他の実施形態に係る容器取り付け用部材とそれを取り付ける容器とを示した斜視図。
【発明を実施するための形態】
【００１８】
以下に、本発明に係る容器取り付け用部材の実施形態について、図１〜３に基づいて説明する。
【００１９】
本実施形態に係る容器取り付け用部材１は、図１に示すように、物品を収容する容器Ａに対して取り付け可能に構成される。本実施形態では、容器Ａは、物品を収容する容器本体Ａ１と、容器本体Ａ１における軸線Ｌ方向の一端部から突出するフランジ部Ａ２とから構成される。
【００２０】
容器取り付け用部材１は、シート材を用いて形成される本体シート１ａから構成される。本実施形態では、本体シート１ａは、シート材が筒状に形成されてなると共に、軸線Ｌ方向の両端部に一対の開口部１ｂ，１ｃを備える。該一対の開口部１ｂ，１ｃは、軸線Ｌに対して交差（具体的には、略直交）する開口面を形成するように構成される。
【００２１】
また、一方の開口部１ｂは、本体シート１ａにおける軸線Ｌ方向の一端部に形成され、他方の開口部１ｃは、本体シート１ａにおける軸線Ｌ方向の他端部に形成される。更に、一方の開口部１ｂは、他方の開口部１ｃよりも開口面が大きくなるように形成される。そして、本体シート１ａは、一方の開口部１ｂから軸線Ｌに沿って容器Ａを内側に挿入可能に構成される。つまり、本実施形態では、容器取り付け用部材１は、本体シート１ａの内側に容器Ａが挿入されることによって容器Ａに対して取り付け可能に構成される。以下の説明では、本体シート１ａの内側に容器Ａが挿入された状態、即ち、容器取り付け用部材１が容器Ａに対して取り付けられた状態を「取り付け状態」と記す。
【００２２】
図２に示すように、取り付け状態では、本体シート１ａが容器Ａの外面Ａ３の少なくとも一部（具体的には、軸線Ｌを中心とする周方向の全域）を覆うように配置される。また、取り付け状態では、本体シート１ａの一方の面（具体的には、筒状の本体シート１ａの外周面）１ｄは、容器Ａが配置される空間（以下、外部空間とも記す）と接すると共に、本体シート１ａの他方の面（具体的には、筒状の本体シート１ａの内周面）１ｅは、容器Ａの外面Ａ３と対峙する。
【００２３】
また、取り付け状態では、本体シート１ａの他方の面１ｅと容器Ａの外面Ａ３との間に空間Ｒが形成される。該空間Ｒは、本体シート１ａにおける軸線Ｌ方向の一端側（一方の開口部１ｂ側）から他端側（他方の開口部１ｃ側）へ向かって拡開するように形成される。つまり、本体シート１ａの他方の面１ｅと容器Ａの外面Ａ３との間隔は、本体シート１ａにおける軸線Ｌ方向の一端側（一方の開口部１ｂ側）から他端側（他方の開口部１ｃ側）へ向かうに連れて広くなるように構成される。また、本実施形態では、本体シート１ａは、一方の開口部１ｂと容器Ａ（具体的には、フランジ部Ａ２）とが容器Ａの挿入方向（軸線Ｌに沿った方向）において掛合した状態となる。
【００２４】
また、本体シート１ａ（即ち、本体シート１ａを構成するシート材）は、撥水性を有する撥水層１ｆと該撥水層１ｆが積層される基材層１ｇとから構成される。具体的には、本体シート１ａは、撥水層１ｆによって一方の面（以下、撥水面とも記す）１ｄが形成され、基材層１ｇによって他方の面１ｅが形成される。つまり、本実施形態では、撥水層１ｆが外部空間と接すると共に、基材層１ｇが容器Ａの外面Ａ３と対峙するように構成される。撥水層１ｆは、基材層１ｇの一方の面に撥水剤が印刷されたり塗工されたりすることで形成される。一方、基材層１ｇは、樹脂フィルム（ポリプロピレン、ポリエチレン、エチレン酢酸ビニル、エチレンメタアクリル酸、アイオノマー、エチレンビニアルコール、ポリエチレンテレフタレート、ナイロン、ポリスチレン、ポリ塩化ビニリデン等を原料とするもの）や、合成紙や紙等を用いて形成される。
【００２５】
そして、上記のような取り付け状態において、図３に示すように、容器Ａ内に物品Ｂを収容する。物品Ｂとしては、特に限定されるものではないが、外部空間の温度（以下、外気温とも記す）よりも温度の低いものが挙げられる。本実施形態では、物品Ｂとして氷水が容器Ａ内に収容される。これにより、撥水面１ｄの温度が外気温よりも低くなって撥水面１ｄに結露Ｃが生じることになる。
【００２６】
しかしながら、撥水面１ｄの撥水力によって撥水面１ｄと結露Ｃとの接触面積が小さくなる。具体的には、撥水性を有しない（撥水加工されていない）素材上に結露Ｃが生じた場合よりも撥水面１ｄと結露Ｃとの接触角θが小さくなるため、撥水面１ｄと結露Ｃとの接触面積が小さくなる。接触角θとしては、９０°以上１８０°以下であることが好ましく、１５０°以上１８０°以下であることがより好ましい。
【００２７】
このように、撥水面１ｄと結露Ｃとの接触面積（換言すれば、接触角θ）が小さくなることで、隣接する結露Ｃ，Ｃ同士の間に間隔が生じることになる。つまり、複数の結露Ｃが撥水面１ｄ上で分散した状態となる。このため、隣接する結露Ｃ，Ｃ同士が接触して凝集することによって粗大な水滴が形成されるのを防止することができる。つまり、容器取り付け用部材１を既存の容器Ａに取り付けることで、結露によって粗大な水滴が生じるのを防止することができる。
【００２８】
また、本体シート１ａの他方の面１ｅと対峙する容器Ａの外面Ａ３にも結露が生じることになるが、斯かる結露は、本体シート１ａの他方の面１ｅと容器Ａの外面Ａ３との間に形成される空間Ｒに保持される。つまり、本体シート１ａの他方の面１ｅと容器Ａの外面Ａ３との間の空間Ｒが結露を保持する結露保持空間Ｒを構成する。結露保持空間Ｒに保持された結露は、本体シート１ａの他方の面１ｅと容器Ａの外面Ａ３とに接触した状態となる。具体的には、本体シート１ａの他方の面１ｅと容器Ａの外面Ａ３との間に水の層Ｃ１が形成される。これにより、結露保持空間Ｒに保持された結露（具体的には、水の層Ｃ１）の表面張力によって本体シート１ａの他方の面１ｅと容器Ａの外面Ａ３とが吸着するため、取り付け状態を良好に維持することができる。
【００２９】
また、取り付け状態では、容器Ａの外面Ａ３が軸線Ｌを中心とする周方向の全域に亘って本体シート１ａによって覆われた状態となるため、取り付け状態を安定させることができると共に、軸線Ｌを中心とする周方向の全域に亘って結露Ｃの粗大化を防止することができる。
【００３０】
また、本体シート１ａの開口部１ｂと容器Ａ（具体的には、フランジ部Ａ２）とが本体シート１ａに対する容器Ａの挿入方向において掛合することで、筒状の本体シート１ａの内側から容器Ａが意図せずに抜け落ちてしまうのが防止されるため、取り付け状態を安定させることができる。
【００３１】
以上のように、本発明に係る容器取り付け用部材によれば、既存の容器に対して変更を加えることなく、容器の外面に生じる結露が凝集して粗大な水滴が形成されるのを防止することができる。
【００３２】
なお、本発明に係る容器取り付け用部材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３３】
例えば、上記各実施形態では、筒状に形成された本体シート１ａに容器Ａが挿入されることで、容器取り付け用部材１が容器Ａに取り付けられるように構成されているが、これに限定されるものではなく、容器取り付け用部材１が容器に取り付けられた状態で、本体シート１ａが筒状となることが好ましい。例えば、シート状に形成された本体シート１ａを容器Ａの外面Ａ３に巻き付けるようにして容器取り付け用部材１を容器Ａに取り付けた際に本体シート１ａが筒状となるように構成されてもよい。斯かる場合においても、結露保持空間Ｒに保持された結露（水の層Ｃ１）によって取り付け状態が保持される。
【００３４】
また、上記実施形態では、結露保持空間Ｒが形成されるように構成されているが、これに限定されるものではなく、例えば、容器Ａの外面Ａ３に本体シート１ａが密着するように（即ち、結露保持空間Ｒが形成されないように）構成されてもよい。また、上記実施形態では、本体シート１ａの他方の面１ｅと容器Ａの外面Ａ３との間隔は、本体シート１ａにおける軸線Ｌ方向の一端側（一方の開口部１ｂ側）から他端側（他方の開口部１ｃ側）へ向かうに連れて広くなるように構成されているが、これに限定されるものではなく、例えば、斯かる間隔が本体シート１ａにおける軸線Ｌ方向の一端側（一方の開口部１ｂ側）から他端側（他方の開口部１ｃ側）へ向かうに連れて狭くなるように構成されてもよく、斯かる間隔が本体シート１ａにおける軸線Ｌ方向の一端側（一方の開口部１ｂ側）から他端側（他方の開口部１ｃ側）へ向かって略同一となるように構成されてもよい。
【００３５】
また、上記実施形態では、容器Ａの外面Ａ３における軸線Ｌを中心とする周方向の全域が本体シート１ａによって覆われるように構成されているが、これに限定されるものではなく、例えば、図４に示すように、容器Ａの外面Ａ３を部分的に覆うように本体シート１０ａが構成された容器取り付け用部材１０であってもよい。
【００３６】
また、上記実施形態では、本体シート１ａの一方の開口部１ｂが容器Ａのフランジ部Ａ２と掛合するように構成されているが、これに限定されるものではなく、例えば、一方の開口部１ｂによって形成される開口面が容器本体Ａ１の一端部側の断面形状よりも小さくなるように構成されることで、一方の開口部１ｂが容器Ａ（容器本体Ａ１）の外面Ａ３と掛合するように構成されてもよい。
【符号の説明】
【００３７】
１…容器取り付け用部材、１ａ…本体シート、１ｂ，１ｃ…開口部、１ｄ…撥水面、１ｆ…撥水層、１ｇ…基材層、Ａ…容器、Ａ１…容器本体、Ａ２…フランジ部、Ａ３…外面、Ｃ…結露、Ｃ１…水の層、Ｌ…軸線、Ｒ…結露保持空間
【図１】
2016120957.tif 000003
【図２】
2016120957.tif 000004
【図３】
2016120957.tif 000005
【図４】
2016120957.tif 000006